(57)【要約】【課題】既設ＰＣタンク下において、各家庭への供給量の増加による配管径の変更やタンク増設に伴う新たな配管材の増設を、安全で確実に施工できるようにする。【解決手段】本発明は、既設ＰＣタンク内の所定の位置の底版に新たに設けた立坑または底版に設けられたピット部と、既設タンク外に設けた立坑を利用して、一方の立坑側から他方の立坑側に推進工法により埋設管を推進施工する工程と、前記埋設管内を挿通させて配管材を設置する工程と、前記既設タンク内の立坑またはピット部からタンク内に配管材を配設する工程と、前記埋設管内に充填材を注入して配管材を固定して防護する工程とにより構成される既設ＰＣタンク下への配管材構築方法である。  【選択図】  図１
2005188150.tif 000002
【特許請求の範囲】
【請求項１】
既設ＰＣタンク外からタンク内へ配管材を新たに構築する配管材構築方法において、既設ＰＣタンク内の所定の位置の底版に新たに設けた立坑または底版に設けられたピット部と、既設ＰＣタンク外に設けた立坑を利用して、一方の立坑側から他方の立坑側に推進工法により埋設管を底版下に推進施工する工程と、前記埋設管内を挿通させて配管材を設置する工程と、前記既設タンク内の立坑またはピット部からタンク内に配管材を配設する工程と、前記埋設管内に充填材を注入して配管材を固定して防護する工程とにより構成されることを特徴とした既設タンク下への配管材構築方法。
【発明の詳細な説明】
【技術分野】
【０００１】
本発明は、上水等を貯留する既設ＰＣタンク下への配管材構築方法に関するものである。
【背景技術】
【０００２】
上水等を貯留するための構造物としては、壁体部にかかる大きな水圧に耐えるように、鋼とコンクリートという耐久性構造材料を上手に組み合わせ、それらの物理的・科学的特性を補完し合う複合材料である鉄筋コンクリート(以下ＲＣという)構造物が一般に多く用いられていた。しかし、ＲＣ構造物は、圧縮力はコンクリートに負担させ、引張力は鉄筋で負担させるという大胆な仮定をして解析をしていることと、コンクリートが乾燥収縮と引張力の小さいことに由来するひび割れができることが欠点とされていた。このため、上水等の液体を貯留するタンクの構造物として、ＲＣ構造は問題があった。
【０００３】
このため、コンクリートに発生する引張応力を打消すために、コンクリートにあらかじめ所定の圧縮応力を与えるというプレストレストコンクリート（以下ＰＣという）技術が開発され、コンクリートに発生するひび割れを防止することが可能となった。近年、この技術は、上水等の多くのタンクに導入されている。
【０００４】
タンク内へ水を送るための流入管やタンク内から各家庭に水を供給する流出管等の配管材の配置は、通常、ＰＣタンクでは、壁体の円周方向に複数条にＰＣ鋼材が配置されており、壁体を貫通して配管することができないために、底版下の地盤を所定の深さだけ溝を掘り、その溝の中に配管材を接続してタンク外まで配管してから、底版の構築が行なわれていた。長期間の年数を経た既設ＰＣタンクの配管材は、管材内面に水あかが付着し断面が徐々に小さくなって、タンク内外への通水や給水が困難になる場合がある。また、各家庭への供給量が増加し、管径を大きくしなければならなかったり、タンクの増設に伴い新たに配管材を増設しなければならないという要望が多くなってきた。水あか等の配管材の補修は、配管内を洗浄する技術が開発されており、解決は可能であるが、既設ＰＣタンクの底版下に配水管を通す入替技術はなく、困難となっているのが現状であった。底版下の地盤を大きくトンネル状に掘削して増設する方法も考えられるが、トンネル孔周辺の地盤がゆるみ、底版や壁体構造に支障をきたすという問題があった。
【特許文献１】特開平１１−２５６８６５号
【発明の開示】
【発明が解決しようとする課題】
【０００５】
解決しようとする課題は、既設ＰＣタンクの底版下に、底版や壁体に支障を与えることなく、新たに配管材を安全確実に配設できる配管材の構築方法である。
【課題を解決するための手段】
【０００６】
本発明は、既設ＰＣタンク外からタンク内へ配管材を新たに構築する配管材構築方法において、既設ＰＣタンク内の所定の位置の底版に新たに設けた立坑または底版に設けられたピット部と、既設タンク外に設けた立坑を利用して、一方の立坑側から他方の立坑側に推進工法により埋設管を推進施工する工程と、前記埋設管内を挿通させて配管材を設置する工程と、前記既設タンク内の立坑またはピット部からタンク内に配管材を配設する工程と、前記埋設管内に充填材を注入して配管材を固定して防護する工程とにより構成される既設ＰＣタンク下への配管材構築方法を最も主要な特徴とする。
【発明の効果】
【０００７】
本発明の既設ＰＣタンク下への配管材構築方法は、既設ＰＣタンクの外側に設けた立坑内から、既設ＰＣタンク内に設けた立坑内に向けて所定の管径を有する埋設管を底版下を通して推進施工し、埋設管内に流入管や流出管などの配管材を挿通して配管でき、既設ＰＣタンク本体である底版や壁体に支障をきたすことなく安全に配管材を布設できるという利点がある。また、埋設管内に配置された配管材は、埋設管本体とモルタル等の充填材で防護されており、地震時にも、配管材継手部のズレや配管材本体の破損がなく、その後の困難な補修作業等が必要ないという利点がある。
【発明を実施するための最良の形態】
【０００８】
既設ＰＣタンク下に新規に配管材を布設する配管材構築方法において、あらゆる条件でも既設ＰＣタンク本体に影響を与えることなく、安全で確実に配管ができる配管材構築方法を実現した。
【実施例１】
【０００９】
図１は、本発明の既設ＰＣタンク下への配管材構築方法を説明する断面図である。既設ＰＣタンク１の外部の所定の位置に円形の立坑４を構築する。既設ＰＣタンク１内の所定の底版３位置にも円形の立坑５が構築されている。既設ＰＣタンク１外の立坑４内には、後方には支圧版１３が設置され、その前方には支圧版１３を反力受けとして埋設管６を地中に押し込む推進ジャッキ１４が装備されている。推進ジャッキ１３の前方には、埋設管６が据え付けられる。埋設管６の先端には、地山に貫入させて圧密しながら管内に土砂を取り込む刃口１２が装備されている。推進ジャッキ１４を伸長させて、埋設管６の後端部を押し込むことによって、刃口１２および埋設管６は地中に埋設されていく。推進ジャッキ１４の１ストロ−ク分の推進が完了すると、推進ジャッキ１４が縮小され、埋設管６と推進ジャッキ６との間に隙間が形成される。その隙間にスペ−サを差し込んで隙間をなくし、再び推進ジャッキ１４を伸長することによって、埋設管６を既設ＰＣタンク１内の立坑５に向けて推進埋設する。前記した作業を順次繰り返して、埋設管６を立坑５内に到達させる。既設ＰＣタンク１内の立坑５で撤去された刃口１２は、既設ＰＣタンク１の屋根部に設けられた人孔より回収される。
【００１０】
両立坑４、５の形状を円形で開示したが、矩形状の立坑とすることも可能である。また、推進ジャッキ１３等の推進設備を、既設ＰＣタンク１外の立坑４に設置する事例を開示したが、既設ＰＣタンク１内の立坑５に設置することもできるが、資材を搬出入する屋根部の人孔が小さいことから、分割して搬出入しなければならなく煩雑となって余り有効ではない。さらに、既設ＰＣタンク１内の立坑５を新設する事例で説明したが、既設ＰＣタンク１内の底版に設けられた配管用の既設ピット部に余裕がある場合は、ビット部を利用して埋設管６を取り込むことも可能である。
【００１１】
図２は、既設ＰＣタンク１内への配管材の設置状況を説明する平面図である。埋設管６の底版３下への布設が完了すると、既設ＰＣタンク１外に設置した立坑４側より、流入管８、流出管９、越流管１０、吐泥管１１などの配管材７を埋設管６内に取り込み、順次接続して既設ＰＣタンク１内の立坑５側に押し出す。立坑５内に押し出された配管材７は、立坑５から底版３面まで上げ、底版３に沿って所定の位置まで配管される。既設ＰＣタンク１内の立坑５は、内面を防水処理等をしてピットとして利用することができる。
【００１２】
図３は、配管材の防護方法を説明する詳細図である。既設ＰＣタンク１内への配管材７配置が完了すると、埋設管６の両端を閉塞して埋設管６内に充填材１６を注入して、各配管材７を固定して防護する。既設タンク１内の立坑５から取り出されて底版３上に配設された配管材７は、周辺に防護コンクリート１７を巻き込むことによって、固定される。
【産業上の利用可能性】
【００１３】
上水等の既設ＰＣタンクにおいて、配管材の管径変更や増設に伴う配管材の再構築に適用できる。
【図面の簡単な説明】
【００１４】
【図１】本発明の既設ＰＣタンク下への配管材構築方法を説明する断面図である。
【図２】既設ＰＣタンク１内への配管材の設置状況を説明する平面図である。
【図３】配管材の防護方法を説明する詳細図である。
【符号の説明】
【００１５】
１    既設ＰＣタンク
２    壁体
３    底版
４    立坑
５    立坑
６    埋設管
７    配管材
８    流入管
９    流出管
１０    越流管
１１    吐泥管
１２    刃口
１３    支圧版
１４    推進ジャッキ
１５    スペーサ
１６    充填材
１７    防護コンクリート
【図１】
2005188150.tif 000003
【図２】
2005188150.tif 000004
【図３】
2005188150.tif 000005